【事件の表示】
　平成　７年特許願第１７５９９８号「ビデオ装置」拒絶査定不服審判事件〔平成　９年　２月　７日出願公開、特開平　９−　３５４１１〕について、次のとおり審決する。
【結　論】
　本件審判の請求は、成り立たない。
【理　由】
１．手続の経緯
　本願は、平成７年７月１２日の出願であって、平成１６年４月１３日付け拒絶理由通知に対して平成１６年６月２１日付けで意見書及び手続補正書が提出されたところ、平成１６年８月９日付けで拒絶査定がなされ、これに対し、平成１６年９月１６日に拒絶査定不服審判が請求されるとともに、平成１６年１０月１８日付けで手続補正がなされたものである。
　
２．平成１６年１０月１８日付け手続補正についての補正却下の決定
［補正却下の決定の結論］
　平成１６年１０月１８日付けの手続補正（以下、「本件補正」という。）を却下する。
　
［理由］
（１）補正前及び補正後の本願発明
　 本件補正は、特許請求の範囲についてするもので、補正前に、
　
　「【請求項１】
　圧縮された受信画像及び受信音声を記録する記憶装置と、
　上記圧縮された受信画像及び受信音声を伸長する画像音声伸長部と、
　上記記憶装置に記録された受信画像及び受信音声の記憶及び再生を実行する制御部とを備え、
　前記制御部は、最新から一定期間の受信画像及び受信音声を前記記憶装置に記録しつつ、上記記憶装置に記録された任意の受信画像及び受信音声の読み出すことを特徴とするビデオ装置。
【請求項２】
　前記記憶装置に上記圧縮された画像及び音声と共に時刻情報を記憶し、前記時刻情報を基に、前記記憶装置から任意の時刻の画像及び音声の読み出しを行うことを特徴とする請求項１記載のビデオ装置。
【請求項３】
　前記記憶装置に上記圧縮された画像及び音声と共に番組情報を記憶し、前記番組情報を基に、前記記憶装置から任意の時刻の画像及び音声の読み出しを行うことを特徴とする請求項１記載のビデオ装置。
【請求項４】
　圧縮された受信画像及び受信音声を伸長する画像音声伸長部と、
　前記受信画像及び受信音声の記憶装置への記憶及び、前記画像音声伸長部を用いて、前記記憶装置に記録された前記受信画像及び受信音声の再生を実行する制御部とを備え、
　前記制御部は、最新から一定期間の前記受信画像及び受信音声を前記記憶装置に記録しつつ、上記記憶装置に記録された任意の受信画像及び受信音声の読み出すことを特徴とするビデオ装置。
【請求項５】
　前記記憶装置に上記圧縮された画像及び音声と共に時刻情報を記憶し、前記時刻情報を基に、前記記憶装置から任意の時刻の画像及び音声の読み出しを行うことを特徴とする請求項４記載のビデオ装置。
【請求項６】
　前記記憶装置に上記圧縮された画像及び音声と共に番組情報を記憶し、前記番組情報を基に、前記記憶装置から任意の時刻の画像及び音声の読み出しを行うことを特徴とする請求項４記載のビデオ装置。」
　
とあったのを、
　
  「【請求項１】
　圧縮された受信画像及び受信音声を記録する記憶装置と
　前記圧縮された受信画像及び受信音声を伸長する画像音声伸長部と
　前記記憶装置に記録された受信画像及び受信音声の記憶及び再生を実行する制御部とを備え、
　前記制御部は、最新から一定期間前までの受信画像及び受信音声を前記記憶装置に保持するように、記録処理を行いつつ、利用者からの再生の指示に応答して、前記保持された受信画像及び受信音声を記録アクセスのない間隙において読み出し処理を行うことを特徴とするビデオ装置。
【請求項２】
　前記記憶装置に前記圧縮された受信画像及び受信音声と共に時刻情報を記憶し、前記時刻情報を基に、前記記憶装置から任意の時刻の受信画像及び受信音声の読み出しを行うことを特徴とする請求項１記載のビデオ装置。
【請求項３】
　前記記憶装置に前記圧縮された受信画像及び受信音声と共に番組情報を記憶し、前記番組情報を基に、前記記憶装置から任意の時刻の受信画像及び受信音声の読み出しを行うことを特徴とする請求項１記載のビデオ装置。
【請求項４】
　圧縮された受信画像及び受信音声を伸長する画像音声伸長部と、
　前記受信画像及び受信音声の記憶装置への記憶及び、前記画像音声伸長部を用いて、前記記憶装置に記録された前記受信画像及び受信音声の再生を実行する制御部とを備え、
　前記制御部は、最新から一定期間前までの受信画像及び受信音声を前記記憶装置に保持するように、記録処理を行いつつ、利用者からの再生の指示に応答して、前記保持された受信画像及び受信音声を記録アクセスのない間隙において読み出し処理を行うことを特徴とするビデオ装置。
【請求項５】
　前記記憶装置に前記圧縮された受信画像及び受信音声と共に時刻情報を記憶し、前記時刻情報を基に、前記記憶装置から任意の時刻の受信画像及び受信音声の読み出しを行うことを特徴とする請求項４記載のビデオ装置。
【請求項６】
　前記記憶装置に前記圧縮された受信画像及び受信音声と共に番組情報を記憶し、前記番組情報を基に、前記記憶装置から任意の時刻の受信画像及び受信音声の読み出しを行うことを特徴とする請求項４記載のビデオ装置。」
　
と補正するものである。
　
　両者を比較検討すると、補正後の各請求項は、主に、記憶装置からの受信画像及び受信音声の読み出し処理について、「利用者からの再生の指示に応答して」、「記録アクセスのない間隙において」行う点を限定するものであり、本件補正は、特許法第１７条の２第４項第２号に規定する特許請求の範囲の減縮を目的とするものに該当する。
　
　そこで、補正後の特許請求の範囲に記載されている事項により特定される発明が、特許出願の際独立して特許を受けることができるものであるか（特許法第１７条の２第５項において準用する同法１２６条第５項の規定に適合するか）否かを、補正後の請求項１に係る発明（以下、「本願補正発明」という。）について以下に検討する。
　
（２）引用例
　原査定において引用された、本願出願前に頒布された刊行物である特開平６−１３９６９７号公報（以下「引用例」という。）には、同時記録再生が可能な光ディスク記録再生装置に関して、図面とともに次の技術事項が記載されている。なお、下線は当審で付与した。
　
（ａ）
「【請求項１】
多チャンネルの入力記録信号を圧縮、時分割してメモリ回路に記憶し、このメモリからの記録信号を変調して単一ヘッドブロックに供給し、ディスクに記録するディスク記録手段と、このディスクに記録した多チャンネルの記録信号を単一ヘッドブロックより再生する再生手段と、この再生信号をメモリ回路に記憶し、このメモリ回路からの再生信号を伸長処理して多チャンネル再生出力する光ディスク記録再生装置において、
（ｂ）
「【０００１】【産業上の利用分野】
この発明は光ディスク記録再生装置に係り
同時記録再生を行うのに好適な光ディスク録音再生装置に関する
（ｃ）図１とともに、
「【００２０】図１において、１は録音入力信号AIの入力端子、２は録音入力信号BIの入力端子、３及び４は上記入力信号AI,BI をディジタル信号に変換して時分割する A/D変換回路、
５及び６はシステムコントローラ８によって予め決められた圧縮データに圧縮制御する圧縮回路
単一ヘッドブロック11を駆動してディスク（図示せず）に録音する
【００２１】14は
ディスクの記録信号を単一ヘッドブロック11によって取り出して
読み出された２チャンネルの再生信号データは伸長回路15,16 で伸長され
【００２２】
この様に構成した光ディスク記録再生装置は、
同時録音再生などを行うことができる
（ｄ）図４とともに、
「【００３４】また、
図４は同時録音再生動作を示したものであり、この同時録音再生は前記同時録音及び同時再生を同時処理したものであり、録音入力信号AIの時分割録音信号a1,b1,c1,d1,…が圧縮され、圧縮後信号ACの録音信号a2,b2,c2,d2,…がディスクに録音信号a3,b3,c3,d3,…として録音され、一方、ディスクに記録された録音信号e3,f3,g3,h3,…が再生されて時分割再生信号e2,f2,g2,h2,…として所定の時間位置に設定され、伸長回路15,16 で伸長処理されて時分割された再生信号e1,f1,g1,h1,…となって再生出力信号BOを出力する
【００３５】この様に、
入力信号AI録音動作と出力信号BO再生出力動作時にも、ディスクからの時分割圧縮出力信号e2の時間(t0B＋u)は、録音時の圧縮時分割録音信号a2の時間(t1A−u)と録音信号b2の時間(t2A−u)との空時間内に設定され、録音信号a2と出力信号e2とは図のように続けた時間で設定される
【００３６】以下、
同様に録音信号b2,c2,d2, …の時分割空時間内に再生出力信号f2,g2,h2, …が各々図のように時間設定され、第１のメモリ回路７の録音信号a2,b2,c2,d2,…の呼出し動作と、第２のメモリ回路14からの再生出力信号e2,f2,g2,h2,…の呼出し動作とが交互に時分割して呼出し動作を行って同時録音再生を効率良く処理することができる。」
【００３７】以上、２チャンネルの同時録音、再生、録再動作について説明したが、同様に圧縮・時分割処理して多チャンネルの同時録音、再生、録再動作を行うよう構成することも可能である。また、上記オーディオ信号の記録を録音（オーディオ音声信号のみを記録する）で説明したが、
光ディスクに映像信号や文字・記号信号など音声信号以外の信号を記録する場合も同様に応用することができる
　
　これらの記載を総合勘案すれば、引用例には、
　
「録音入力信号を圧縮する圧縮回路５、６を含み、圧縮後の録音信号をディスクに記録するディスク記録手段と、
　前記ディスクからの再生信号を伸長処理する伸長手段１５、１６と、
　前記ディスクへの録音信号の記録及び再生を制御するシステムコントローラ８とを備えた、同時録音再生動作が可能な光ディスク記録再生装置であって、
　圧縮後の録音信号がディスクに記録される一方、ディスクに記録された録音信号が再生され伸長処理されて出力されるものであり、録音信号の時分割空時間内に再生出力信号が時間設定される
　光ディスク記録再生装置。」
　
の発明（以下、「引用発明」という。）が記載されていると認めることができる。
　
（３）対比
　そこで、本願補正発明と引用発明とを比較する。
　
　引用発明の「録音入力信号」は本願補正発明の「受信画像及び受信音声」に対応し、両者は音声（音声信号）を含む点で共通している。そこで、引用発明の「ディスク記録手段」は、圧縮された音声（音声信号）を記録する点で、本願補正発明の「記憶装置」と共通している。
　引用発明の「伸長手段１５、１６」は、前記圧縮された音声信号の伸長処理を行うものであるから、「伸長部」という意味で本願補正発明の「画像音声伸長部」と共通している。
　引用発明の「システムコントローラ８」は、録音入力信号（音声）の記録及び再生を制御するものであるから、その限りにおいて本願補正発明の「制御部」と共通している。
　引用発明の「圧縮後の録音信号がディスクに記録される一方、ディスクに記録された録音信号が再生され伸長処理されて出力されるものであり、録音信号の時分割空時間内に再生出力信号が時間設定される」機能は、録音（記録）動作と再生動作とを時分割で行うものであるから、本願補正発明の「音声を前記記憶装置に保持するように記録処理を行いつつ、前記保持された受信音声を記録アクセスのない間隙において読み出し処理を行う」「制御部」の機能に相当する。
　
 　そうすると、本願補正発明と引用発明とは次の点で一致する。
　
＜一致点＞
「圧縮された音声を記録する記憶装置と、
　前記圧縮された音声を伸長する伸長部と、
　前記記憶装置に記録された音声の記憶及び再生を実行する制御部とを備え、
　前記制御部は、音声を前記記憶装置に保持するように、記録処理を行いつつ、前記保持された音声を記録アクセスのない間隙において読み出し処理を行う
　装置。」
　
一方、次の各点で相違する。
（相違点１）
　記憶装置に記録し、該記憶装置から読み出し、伸長部で伸長する信号が、本願補正発明では、受信画像及び受信音声であるのに対し、引用発明では、録音入力信号（音声）である点。
　
（相違点２）
　本願補正発明では、最新から一定期間前までの受信画像及び受信音声を記憶装置に保持するように記録処理を行い、利用者からの再生の指示に応答して、前記保持された受信画像及び受信音声の読み出し処理を行っているのに対し、引用発明ではこの点が明示されていない点。
　
（４）判断
　相違点１について：
　画像信号と音声信号とを受信して記録媒体に記録することは、従来から普通に行われている技術であり、また、引用例の前記記載（ｅ）には、光ディスクに映像信号を記録する場合にも適用できることも示唆されていることから、引用発明においても、受信した画像信号と音声信号とを記録できるようにすることは、当業者が容易に想到し得たものである。この場合、ディスクに記録再生する信号及び伸長手段で伸長する信号が、圧縮された受信画像及び受信音声となることは、当然のことである。
　
　相違点２について：
　最新から一定期間前までの受信画像及び受信音声を記録する技術思想は、本願出願前に当該技術分野において、例えば特開平２−２２６５７５号公報（原査定の拒絶理由に引用されたもの）、特開平７−３０８５１号公報にみられるように周知の技術であるから、引用発明においても、最新から一定期間前までの受信画像及び受信音声を記録するようにすることは、当業者が容易に想到し得たものである。そして、記録した前記受信画像及び受信音声を利用者からの再生の指示に応答して読み出し処理を行うことは、通常の機能にすぎないものである。
　そして、本願補正発明の効果は、引用発明及び周知技術の効果の総和を超えるものではない。
　
　以上の検討を総合すると、本願補正発明は、引用発明及び周知技術に基づいて、当業者が容易に発明をすることができたものである。
　
（５）本件補正についての結び
　以上のとおり、本願補正発明は、特許法第２９条第２項の規定により特許出願の際独立して特許を受けることができないものであるから、本件手続補正は、特許法第１７条の２第５項において準用する同法第１２６条第５項に規定に違反するので、特許法第１５９条第１項の規定において読み替えて準用する同法第５３条第１項の規定により却下すべきものである。
　
３．本願発明について
（１）本願発明
　平成１６年１０月１８日付けの手続補正は上記のとおり却下されたので、本願の請求項１に係る発明（以下、「本願発明」という。）は、平成１６年６月２１日付け手続補正書により補正された明細書の特許請求の範囲の請求項１に記載された事項により特定される、以下のとおりのものである。
　
  「圧縮された受信画像及び受信音声を記録する記憶装置と、
　上記圧縮された受信画像及び受信音声を伸長する画像音声伸長部と、
　上記記憶装置に記録された受信画像及び受信音声の記憶及び再生を実行する制御部とを備え、
　前記制御部は、最新から一定期間の受信画像及び受信音声を前記記憶装置に記録しつつ、上記記憶装置に記録された任意の受信画像及び受信音声の読み出すことを特徴とするビデオ装置。」
　
（２）引用例
　原査定において引用された引用例及びその記載事項は、前記「２．（２）引用例」に記載したとおりである。
　
（３）対比・判断
　本願発明は、上記「２．」で検討した本願補正発明から、記憶装置からの受信画像及び受信音声の読み出し処理について、「利用者からの再生の指示に応答して」、「記録アクセスのない間隙において」行う点の限定を省いたものである。
　そうすると、本願発明の構成要件をすべて含み，さらに他の構成要件を付加したものに相当する本願補正発明が、前記「２．」に記載したとおり，引用発明及び周知技術に基づいて、当業者が容易に発明をすることができたものであるから、本願発明も同様の理由により、引用発明及び周知技術に基づいて、当業者が容易に発明をすることができたものである。　
　
（４）むすび
　以上のとおり、本願の請求項１に係る発明は、引用例１に記載された発明及び周知技術に基づいて、当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。